(57)【要約】【課題】既存の通電制御方式を含めて、既存部分に影響を与えることなく任意のタイミングで通電を実行可能とする。【解決手段】契約情報を通知するＥＭＭ（Entitlement Management Message）をデジタル放送信号に多重して送出するデジタル放送システムにおいて、デジタル放送装置が前記ＥＭＭの受信に要する通電の制御方式を示す通電制御情報を前記デジタル放送信号に多重して受信装置に伝送し、デジタル放送受信装置が前記デジタル放送信号を受信して当該信号に多重化される通電制御情報を取得し、前記ＥＭＭを受信するために前記通電制御情報に基づいて通電状態とする。【選択図】図３
2015109556.tif 000002
【特許請求の範囲】
【請求項１】
契約情報を通知するＥＭＭ（Entitlement Management Message）をデジタル放送信号に多重して送出するデジタル放送装置において、
前記ＥＭＭの受信に要する通電の制御方式を示す通電制御情報を前記デジタル放送信号に多重して受信装置に伝送するデジタル放送装置。
【請求項２】
前記通電制御情報は、前記デジタル放送信号の制御情報伝送領域に記載され、前記通電の制御方式を示すデスクリプタである請求項１記載のデジタル放送装置。
【請求項３】
前記制御方式は、前記契約情報として予め登録される識別情報を複数グループに分割し、該当するグループのＥＭＭ送信時に通電するように指示する請求項１記載のデジタル放送装置。
【請求項４】
前記制御方式は、前記ＥＭＭを専用チャンネルで伝送するとき、その専用チャンネルをポイントアウトするための制御情報を通知する請求項１記載のデジタル放送装置。
【請求項５】
前記制御方式は、定期更新のＥＭＭ受信に限定する制御情報を通知する請求項１記載のデジタル放送装置。
【請求項６】
前記制御方式は、定期更新のＥＭＭ受信に限定し、通電中にＥＭＭが取得された場合に通電制御を次回期日まで中断する制御情報を通知する請求項１記載のデジタル放送装置。
【請求項７】
前記制御方式は、複数の通電制御方式を運用する場合、送出側としてどの方式を優先させるか、どの組み合わせを容認するかを指定する制御情報を通知する請求項１記載のデジタル放送装置。
【請求項８】
契約情報を通知するＥＭＭ（Entitlement Management Message）が多重されるデジタル放送信号を受信するデジタル放送受信装置において、
前記デジタル放送信号を受信して当該信号に多重化される通電制御情報を取得する取得手段と、
前記ＥＭＭを受信するために前記通電制御情報に基づいて通電状態とする通電制御手段と
を具備するデジタル放送受信装置。
【請求項９】
前記通電制御情報は、前記デジタル放送信号の制御情報伝送領域に記載され、前記通電の制御方式を示すデスクリプタであるとき、
前記取得手段は、前記デジタル放送信号の制御情報伝送領域から前記デスクリプタを読み出し、
前記通電制御手段は、前記デスクリプタの記載内容に応じて前記通電状態を制御する請求項８記載のデジタル放送受信装置。
【請求項１０】
前記制御方式が、前記契約情報として予め登録される識別情報を複数グループに分割し、該当するグループのＥＭＭ送信時に通電するように指示するとき、
前記通電制御手段は、前記通電制御情報から前記複数グループの所属情報を取得して、該当グループに割り当てられる通電期間を通電状態とする請求項８記載のデジタル放送受信装置。
【請求項１１】
前記制御方式が、前記ＥＭＭを専用チャンネルで伝送し、その専用チャンネルをポイントアウトするための制御情報として通知するとき、
前記通電制御手段は、前記制御情報に基づいて前記専用チャンネルを受信し前記ＥＭＭを一括で取得する請求項８記載のデジタル放送受信装置。
【請求項１２】
前記制御方式が、定期更新のＥＭＭ受信に限定する制御情報を通知するとき、
前記通電制御手段は、前記制御情報に基づいて前記定期更新に合わせて通電期間を決定する請求項８記載のデジタル放送受信装置。
【請求項１３】
前記制御方式が、定期更新のＥＭＭ受信に限定し、通電中にＥＭＭが取得された場合に通電制御を次回期日まで中断する制御情報を通知するとき、
前記通電制御手段は、前記制御情報に基づいて前記定期更新に合わせて通電期間を決定し、通電期間内でＥＭＭが取得された後は次回期間まで通電処理を中断する請求項８記載のデジタル放送受信装置。
【請求項１４】
前記制御方式が、複数の通電制御方式を運用する場合、送出側としてどの方式を優先させるか、どの組み合わせを容認するかを指定する制御情報を通知するとき、
前記通電制御手段は、方式の優先度、組み合わせの容認をチェックする請求項８記載のデジタル放送受信装置。
【請求項１５】
契約情報を通知するＥＭＭ（Entitlement Management Message）をデジタル放送信号に多重して送出するデジタル放送方法において、
デジタル放送装置が前記ＥＭＭの受信に要する通電の制御方式を示す通電制御情報を前記デジタル放送信号に多重して受信装置に伝送し、
デジタル放送受信装置が前記デジタル放送信号を受信して当該信号に多重化される通電制御情報を取得し、前記ＥＭＭを受信するために前記通電制御情報に基づいて通電状態とするデジタル放送方法。
【発明の詳細な説明】
【技術分野】
【０００１】
本実施形態は、コンテンツを加入者のみが適切に視聴できるようにするためのＣＡＳ（Conditional Access System）方式を採用するデジタル放送装置とそのデジタル放送受信装置及びデジタル放送方法に関する。
【背景技術】
【０００２】
デジタル放送では、コンテンツを加入者のみが適切に視聴できるようするために、３重鍵方式と称されるＣＡＳ方式を導入している。３重鍵方式の場合、デジタル放送の送出側と受信側では、以下の処理が実行される。
【０００３】
まず、送出側では、コンテンツをスクランブル鍵Ksでスクランブルして暗号化コンテンツを生成する。また、スクランブル鍵Ks及び番組情報（視聴制御にかかわる情報）をまとめてワーク鍵Kwで暗号化してＥＣＭ（Entitlement Control Message）を生成する。また、ワーク鍵Kwと各加入者の契約情報を加入者ごとにまとめてマスター鍵Kmで暗号化してＥＭＭ（Entitlement Management Message）を生成する。このようにして生成された暗号化コンテンツ、ＥＣＭ、ＥＭＭを多重化して送出する。
【０００４】
一方、受信側では、受信信号から暗号化コンテンツ、ＥＣＭ、ＥＭＭを分離する。次に、予め配布されているマスター鍵KmでＥＭＭを復号化してワーク鍵Kwと契約情報を取得する。取得したワーク鍵KwでＥＣＭを復号してスクランブル鍵Ks及び番組情報を取得する。得られた番組情報と契約情報を比較して、視聴可能な状態であれば、取得したスクランブル鍵で暗号化コンテンツをデスクランブルすることで、オリジナルのコンテンツを再生出力する。
【０００５】
ここで、スクランブル鍵Ksは、基本的に数秒周期で更新されており、ＥＣＭも同じ周期で送出される。これに対して、ＥＭＭは契約を単位として送出されるため、１年契約であれば１年周期といった比較的長いレンジで更新されることになる。そのため、ＥＭＭが送出されるタイミングで、受信装置が起動されている保証がない。そこで、ＥＭＭをある程度効率的に受信させる仕組みとして、予め一定時間受信装置を通電状態にしておく仕組みやルールをシステムとして用意している（これを通電制御と呼ぶ）。
【先行技術文献】
【非特許文献】
【０００６】
【非特許文献１】ARIB STD-B25、6.2版、電波産業会
【非特許文献２】ARIB TR-B15、6.2版、電波産業会
【発明の概要】
【発明が解決しようとする課題】
【０００７】
従来のＣＡＳ方式を採用するデジタル放送システムでは、通電制御のやり方として、事前に決められた時間、毎日一定時間必ず電源を入れ、何時間通電すればよいかを例えばＰＳＩ（Program Specific Information:番組特定情報）の情報中に記載し、時間制御するようにしている。しかし、毎日、常時通電するのは、省エネの観点で問題がある。
【０００８】
この対応策として、例えば、ＣＡＳカードの応答によって、契約の有効期限前の２週間程度のみ一定時間通電制御を行うといったシステムを導入しているＣＡＳもある。しかし、この方式は、省エネの観点で優れているが、すでに上記で運用しているものについてはＣＡＳカードの交換が必要であり、すでに加入者が何百万人もいるシステムではそれも容易ではない。設備改修や受信装置の一部バージョンアップも考えられるが、一気に変更することは極めて困難である。
【０００９】
本実施形態は上記課題に鑑みなされたもので、既存の通電制御方式を含めて、既存部分に影響を与えることなく任意のタイミングで通電を実行することのできるデジタル放送装置とそのデジタル放送受信装置及びデジタル放送方法を提供することを目的とする。
【課題を解決するための手段】
【００１０】
上記の課題を解決するために、本実施形態は、契約情報を通知するＥＭＭ（Entitlement Management Message）をデジタル放送信号に多重して送出するデジタル放送システムにおいて、デジタル放送装置が前記ＥＭＭの受信に要する通電の制御方式を示す通電制御情報を前記デジタル放送信号に多重して受信装置に伝送し、デジタル放送受信装置が前記デジタル放送信号を受信して当該信号に多重化される通電制御情報を取得し、前記ＥＭＭを受信するために前記通電制御情報に基づいて通電状態とする態様とする。
【図面の簡単な説明】
【００１１】
【図１】実施形態が適用されるＣＡＳシステムの概略構成を示すブロック図。
【図２】図１に示すＣＡＳシステムの受信側の構成が組み込まれるデジタル放送受信装置３１の具体的な構成を示すブロック図。
【図３】図１に示すＣＡＳシステムにおけるＣＡＴに通電制御情報を組み込むデスクリプタのデータ構造を示す図。
【図４】図２に示す通電制御部において、通電制御内容を決定する処理の流れを示すフローチャート。
【図５】実施例１において、ＣＡＳ登録ＩＤのグループ分けを説明するための図。
【図６】実施例１の場合のデスクリプタのデータ構造例を示す図。
【図７】実施例２において、Ｎチャンネルで伝送していたＥＭＭを専用チャンネルでまとめて伝送する場合の例を示す図。
【図８】実施例２の場合のデスクリプタのデータ構造例を示す図。
【図９】実施例３において、通電制御を月末に実施する場合のＥＭＭ受信タイミングを示す図。
【図１０】実施例３の場合のデスクリプタのデータ構造例を示す図。
【図１１】実施例４において、通電制御を月末に実施し、通電制御を正常に実施できた場合に通電制御期間中であってもＥＭＭの受信を止めた様子を示す図。
【図１２】実施例４の場合のデスクリプタのデータ構造例を示す図。
【図１３】実施例５において、実施例１，２に対して実施例３，４を併用させる場合の構成を示す図。
【発明を実施するための形態】
【００１２】
以下、実施形態について、図面を参照して説明する。
【００１３】
図１乃至図１３を参照して、実施形態に係る放送システムについて説明する。
【００１４】
図１は本実施形態が適用されるＣＡＳシステムの概略構成を示すブロック図である。図１において、１１は送出側（デジタル放送装置）、２１は受信側（デジタル放送受信装置）の構成を示している。
【００１５】
まず、送出側において、放送配信されるコンテンツをスクランブラ１１１に入力し、スクランブル鍵Ｋｓでスクランブルして暗号化コンテンツを生成する。また、スクランブル鍵Ks及び番組情報をまとめて暗号化部１１２に入力し、ワーク鍵Kwで暗号化してＥＣＭ（Entitlement Control Message）を生成する。また、ワーク鍵Kwと各加入者の契約情報を加入者ごとにまとめて暗号化部１１３に送り、マスター鍵Kmで暗号化してＥＭＭを生成する。このようにして生成された暗号化コンテンツ、ＥＣＭ、ＥＭＭを多重化部１１４で多重化する。この多重化された信号は、デジタル放送装置において、放送ＴＳに変換され、エンコードされてデジタル放送信号として送出される。
【００１６】
一方、受信側では、分離部２１１にて、デジタル放送信号を受信しデコードして得られる放送ＴＳから暗号化コンテンツ、ＥＣＭ、ＥＭＭを分離する。分離されたＥＭＭを復号部２１２に送り、予め配布されているマスター鍵KmでＥＭＭを復号化してワーク鍵Kwと契約情報を取得する。取得したワーク鍵Kwを復号部２１３に送り、このワーク鍵KwでＥＣＭを復号してスクランブル鍵Ks及び番組情報を取得する。ここで、視聴判定部２１４において、復号部２１３で得られた番組情報と復号部２１２で得られた契約情報とを比較して、視聴可能な状態であれば、復号部２１３で取得したスクランブル鍵Ksをデスクランブラ２１５で暗号化コンテンツをデスクランブルすることで、オリジナルのコンテンツを再生出力する。
【００１７】
上記構成において、本実施形態では、複数の通電制御方式を実施可能にするため、放送信号のＰＳＩ（Program Specific Information）でどの通電制御を行っているかの情報を伝送し、各通電制御のための情報もそれぞれ伝送する。この場合、デスクリプタ方式を採用して、既存受信装置に影響を与えないようにする。また、通電制御方式は、ＩＤごとに時間を分けてＥＭＭを専用のＴＳで伝送することで、通電制御中にＥＭＭを受信した場合の挙動を制御可能にするようにしてもよい。
【００１８】
図２は上記ＣＡＳシステムの受信側の構成が組み込まれるデジタル放送受信装置３１の具体的な構成を示すブロック図である。図２において、３１１は制御バスであり、この制御バス３１１にはチューナ３１２、ＴＳ処理部３１３、デスクランブラ３１４、ＡＶデコード部３１５、表示・再生処理部３１６、通電制御部３１７、番組データベース処理部３１８、ＣＡＳカード３１９が接続されるＣＡＳ制御部３２０、リモコン３２１からの操作入力信号を受けとるリモコン制御部３２２、記録媒体３２３が接続される記録再生制御部３２４、暗号処理部３２５、配信／受信処理部３２６、ネットワーク処理部３２７が接続される。
【００１９】
チューナ３１２は、デジタル放送信号を受信して任意のチャンネルの放送ＴＳを選局受信する。ＴＳ処理部３１３はチューナ３１２で得られた放送ＴＳからスクランブルされた暗号化コンテンツ、ＥＭＭ、ＥＣＭを取り出す。デスクランブラ３１４は、ＴＳ処理部３１３で得られた暗号化コンテンツを、ＣＡＳカード３１９の登録情報に基づいてＣＡＳ制御部３２０で取得されるスクランブル鍵により復号してオリジナルのコンテンツを得る。ＡＶデコード部３１５は、復号されたコンテンツの音声・映像をデコードする。表示・再生処理部３１６は、ＡＶデコード部３１５で得られた映像・音声信号を所定のフォームで表示・再生するように処理する。
【００２０】
通電制御部３１７は、放送信号のＰＳＩから通電制御の指示情報を取得し、通電期間を制御する。番組データベース処理部３１８は、放送信号のＰＳＩから番組に関するパラメータ情報等をデータベースに記録し、番組記録・再生時に読み出し出力する。ＣＡＳカード３１９には、ユーザ登録情報、マスター鍵Kmが記録され、ＣＡＳ制御部３２０は、ＣＡＳカード３１９から記録情報を読み出して暗号化コンテンツを復号再生する。
【００２１】
リモコン３２１は、ユーザが受信装置３１に任意の処理を実行させるための操作キーを備え、その操作入力を赤外線等によってリモコン制御部３２２に通知する。リモコン制御部３２２は、リモコン３２１からの操作入力信号を受けとり、その操作を判別して指定の処理を実行する。記録媒体３２３は受信した放送信号から取り出され、暗号が解読されたコンテンツをユーザの指示に応じて記録する。記録再生制御部３２４は、記録媒体３２３からユーザ指定のコンテンツを読み出し、ユーザの操作入力に従って記録又は再生を制御する。暗号処理部３２５は、コンテンツを要求に応じて配信する場合に、規定の鍵で暗号化する。配信／受信処理部３２６は、ネットワーク処理部３２７を通じて、コンテンツサーバ（図示せず）との間でコンテンツの配信・受信を実行する。
【００２２】
上記構成による受信装置において、以下にシステムとしてどのような通電制御を実施しているかを示す情報を、ＮＩＴ（Network Information Table）、ＣＡＴ（conditional Access Table）等のデスクリプタとして伝送する。さらに、個々の通電制御仕様に基づく情報は別のデスクリプタとして伝送し、上記ではどの方式が運用しているか、受信装置が対応すべき優先順位等を示す情報を送る。例えば、図３（ａ）に示すＣＡＴの"descripter()"に図３（ｂ）に示すデータ構造を持たせる。図３（ｂ）において、"PowerControl_type"は通電制御方式の種類を示し、"Scope"は受信装置の対応優先順位等を示している。
【００２３】
この例の場合、ＴＳ処理部３１３で抽出されたＰＳＩ（例ではＣＡＴ）情報を通電制御部３１７が処理して必要なデスクリプタを取得し、自身で適用可能な方式とデスクリプタで指定される方式をチェックして適用する処理を決定する。
【００２４】
図４は、上記通電制御部３１７において、通電制御内容を決定する処理の流れを示すフローチャートである。図４において、ＰＳＩ情報からデスクリプタを取得して、通電制御方式を識別するためのデスクリプタを解釈し（ステップＳ１１）、対応可能な方式が有るか判断する（ステップＳ１２）。ステップＳ１２において対応可能な方式がある場合には、方式を示すデスクリプタを解釈し（ステップＳ１３）、このデスクリプタについて優先順位の解釈を行って（ステップＳ１４）、解釈された指定の方式で通電制御を実行し（ステップＳ１５）、一連の処理を終了する。ステップＳ１２において対応可能な方式がないと判断された場合には、デフォルトの方式で通電制御を実行して（ステップＳ１６）、一連の処理を終了するものとする。
【００２５】
以下、通電制御方式に係る実施例を説明する。
【００２６】
（実施例１）
実施例１では、全ＣＡＳカードについて、予め登録されたＩＤの値でグループ分けすることで通電時間を削減する。具体的には、図５に示すように、所定のＩＤ範囲でグループ分けして、ＥＭＭの送出時期を時間方向で分割することで、受信装置の通電期間を１／ｎ（ｎ:グループ数）にする。図５に示す例では、カードＩＤが"001F 2020 0010"のＣＡＳカードを用いた受信装置の場合、グループ２に属するので、"00:21〜00:41"の間のみ通電してＥＭＭを受信すればよいことになる。尚、図５の例のようにｎを幾つにするかはシステムとして決定する事項であるが、単純に２グループにするだけでも効果はある。
【００２７】
この実施例１の場合、伝送される制御情報（デスクリプタ）は、例えば図６に示すようになる。図６において、"PowerControl_type"は通電制御方式の識別、"Scope"は主たる制御方式か従属的な制御方式かを示し、"Id_min"はＩＤの最小値、"Id_max2"はＩＤの最大値、"PowerContorDate"、"PowerContorTime"はそれぞれ通電時間を指定する日付、時間を示している。
【００２８】
（実施例２）
実施例２では、ＥＭＭを別の専用チャンネルで伝送し、この専用チャンネルをポイントアウトするための制御情報を伝送する。映像等のコンテンツの帯域を圧迫しないので、最大の伝送レート(例えば３Mbps程度(非特許文献２))で送出することができ、送出周期を短くすることができる。一般的には映像コンテンツ等の帯域を優先させるため、ＥＭＭの送出には最大でも１Mbps程度で運用されることが多いため、効果は３倍以上になる。さらにシングルセクション方式で伝送していた場合、マルチセクション方式で伝送するようにするとさらに効率を上げることができる。図７はＮ個の通常チャンネルでＥＭＭを伝送する場合と、ＥＭＭを専用チャンネルで伝送する場合に使用する帯域のイメージを示した例であり、例えば上記のような場合は各チャンネルでＥＭＭを伝送する場合と比較して１／３の時間でＥＭＭを取得することが可能になる。また、図８に実施例２の場合のデスクリプタのデータ構造例を示す。
【００２９】
（実施例３）
実施例３では、通電制御機能は定期更新のＥＭＭ受信に限定することで、通電制御を実行する頻度を少なくする。有料放送の契約としては、主には月極め契約が一般的であり、半年、一年の自動継続といった形態が多くある。通電制御も週末、月末等の契約更新タイミングに合わせることで、受信機の通電期間を短くすることができる。図９に通電制御を月末に実施する場合のＥＭＭ受信タイミングを示し、図１０にその通電制御を実施させるデスクリプトのデータ構造例を示す。
【００３０】
（実施例４）
実施例４では、通電制御機能は定期更新のＥＭＭ受信に限定することで通電制御を実行する頻度を少なくし、さらに、通電制御を正常に実施した場合は、通電制御期間中であってもＥＭＭの受信を止めることを許可することで受信装置の通電期間を短縮する例である。図１１に通電制御を月末に実施し、通電制御を正常に実施できたため、通電制御期間中であってもＥＭＭの受信を止めた様子を示し、図１２にその通電制御を実施させるデスクリプタのデータ構造例を示す。
【００３１】
（実施例５）
ここまで複数の実施例を示したが、これらの通電制御方式は併用して運用することも可能である。実施例５として方式の主従関係を指定することで、複数の通電制御方式を運用する例を示す。送出側では、設備の改修や加入者の数によってどの方式を運用するか、どの方式を優先させるか、どの組み合わせを容認するか等を指定できるようにする。例えば、図１３に示すように、通電制御のデスクリプタにて指定されるscopeのフラグの上位４ビットを方式の主従関係を設定する領域、下位ビットを優先順位に割り当てている。たとえば実施例１，２は基本的に優先運用し、実施例３，４を補足的に利用させるような場合は、実施例１，２は上位４ビットに例えば、主たる方式を示すコード“００００”が設定され、実施例３，４には、実施例１，２の方式が運用され、どちらかに対応していない場合は、この方式で通電制御動作してはいけないことを示す“０００１”が定義される。下位ビットには、優先順位がない場合は“００００”が設定され、受信装置が対応していればどの方式で通電制御を行ってもよいことになる。また、優先順位をつける場合には“０００１”、“０００２”といった値を定義して、どの方式を優先させるのかを示すことになる。
【００３２】
上記実施形態によれば、送出側で、放送ＴＳのＰＳＩ情報に通電制御に必要なデスクリプタを組み込んでおき、受信側で、自身で適用可能な方式とデスクリプタで指定される方式をチェックして適用する処理を決定するようにしているので、既存の通電制御方式を含めて、既存部分に影響を与えることなく任意のタイミングで通電を実行することができる。
【００３３】
尚、本実施形態は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００３４】
１１…送出側（デジタル放送装置）、１１１…スクランブラ、１１２…暗号化部、１１３…暗号化部、１１４…多重化部、  
２１…受信側（デジタル放送受信装置）、２１１…分離部、２１２…復号部、２１３…復号部、２１４…視聴判定部、２１５…デスクランブラ、  
３１１…制御バス、３１２…チューナ、３１３…ＴＳ処理部、３１４…デスクランブラ、３１５…ＡＶデコード部、３１６…表示・再生処理部、３１７…通電制御部、３１８…番組データベース処理部、３１９…ＣＡＳカード、３２０…ＣＡＳ制御部、３２１…リモコン、３２２…リモコン制御部、３２３…記録媒体、３２４…記録再生制御部、３２５…暗号処理部、３２６…配信／受信処理部、３２７…ネットワーク処理部
【図１】
2015109556.tif 000003
【図２】
2015109556.tif 000004
【図３】
2015109556.tif 000005
【図４】
2015109556.tif 000006
【図５】
2015109556.tif 000007
【図６】
2015109556.tif 000008
【図７】
2015109556.tif 000009
【図８】
2015109556.tif 000010
【図９】
2015109556.tif 000011
【図１０】
2015109556.tif 000012
【図１１】
2015109556.tif 000013
【図１２】
2015109556.tif 000014
【図１３】
2015109556.tif 000015